(57)【特許請求の範囲】
【請求項１】
下地材の上端から下端へ渡すように複数本が横方向へ向かって間欠的に配設された縦長の自重受け金具と、
前記下地材の左端から右端へ渡すように複数本が縦方向に向かって間欠的に前記自重受け金具に係止された横長のベース金具と、を備え、
前記ベース金具は、タイルの裏足の上奥に引っ掛けるための上係止片と、前記タイルの裏足の下奥に引っ掛けるための下係止片とが、前記自重受け金具と当接する上下後板から前記裏足に入るように前方に上下面板を突出させた前面の中前板から切り出されて、横方向に向かって間欠的に複数形成され、
前記上係止片は、前記上面板まで切り込んだ上バネ部が撓ることで、前記中前板から上方に折り返した上折返し部が前記裏足に引っ掛かり、
前記下係止片は、前記中前板から前記上折返し部より短く下方に折り返した下折返し部が前記裏足に引っ掛かり、
前記上係止片がそれぞれ独立して撓ることで、前記タイルの反りに合わせて前記裏足へ均等に当接する、
ことを特徴とするタイルの裏足用金具。
【請求項２】
前記自重受け金具は、前記上下後板を上下から挟み込むように上下フックが縦方向へ向かって間欠的に複数形成される、
ことを特徴とする請求項１に記載のタイルの裏足用金具。
【発明の詳細な説明】
【技術分野】
【０００１】
本発明は、建物の外壁にタイルを張り付けるための裏足用金具に関する。
【背景技術】
【０００２】
建物の外壁は、下地材にタイルや石材などを貼り付けることで仕上げられる。なお、仕上げ方法としては、下地材にモルタルを使用して直接タイル等を貼着する湿式工法や、下地材に固定した支持金具にタイル等を引っ掛けて弾性接着剤で貼着する乾式工法などがある。
【０００３】
乾式工法には、壁面にステンレス製のレールを配置し、タイルの裏足とレールとを嵌合して配置するカーニバル工法などがある。特許文献１に記載されているように、容易かつ均一に施工できるとともに、評価が可能となる、金具付きタイルを用いた壁構造の構築方法の発明も開示されている。
【先行技術文献】
【特許文献】
【０００４】
【特許文献１】特許第５９１９２１７号公報
【発明の概要】
【発明が解決しようとする課題】
【０００５】
しかしながら、従来のカーニバル工法においては、特にタイルが陶器製の場合、タイルの横幅が長くなればなるほど、タイルを焼き上げたときに生じる反りが大きくなり、レールが裏足に入らなかったり、がたつきが生じたりする場合がある。また、特許文献１に記載の発明では、タイルの裏足に予め金具を取り付けておき、その金具をレールと嵌合させているが、タイル自体の反りが大きくなれば、金具の位置もずれることになり、レールと合わなくなる可能性がある。
【０００６】
そこで、本発明は、建物の外壁にタイルを乾式で張り付ける際に、タイルの反りに追従して係止することが可能な裏足用金具を提供することを目的とする。
【課題を解決するための手段】
【０００７】
上記の課題を解決するために、本発明であるタイルの裏足用金具は、下地材の上端から下端へ渡すように複数本が横方向へ向かって間欠的に配設された縦長の自重受け金具と、前記下地材の左端から右端へ渡すように複数本が縦方向に向かって間欠的に前記自重受け金具に係止された横長のベース金具と、を備え、前記ベース金具は、タイルの裏足の上奥に引っ掛けるための上係止片と、前記タイルの裏足の下奥に引っ掛けるための下係止片とが、横方向に向かって間欠的に複数形成され、前記上係止片は、それぞれ独立して撓ることで、前記タイルの反りに合わせて前記裏足へ均等に当接する、ことを特徴とする。
【０００８】
前記タイルの裏足用金具において、前記ベース金具は、前記自重受け金具と当接する上下後板から前記裏足に入るように前方に上下面板を突出させた前面の中前板から前記上下係止片が切り出され、前記上係止片は、前記上面板まで切り込んだ上バネ部が撓ることで、前記中前板から上方に折り返した上折返し部が前記裏足に引っ掛かり、前記下係止片は、前記中前板から前記上折返し部より短く下方に折り返した下折返し部が前記裏足に引っ掛かる、ことを特徴とする。
【０００９】
前記タイルの裏足用金具において、前記自重受け金具は、前記上下後板を上下から挟み込むように上下フックが縦方向へ向かって間欠的に複数形成される、ことを特徴とする。
【発明の効果】
【００１０】
本発明によれば、建物の外壁にタイルを乾式で張り付ける際に、タイルの反りに追従して係止することができる。
【図面の簡単な説明】
【００１１】
【図１】本発明である裏足用金具を用いてタイルを張り付けた躯体を示す正面図、平面図及び側面図である。
【図２】本発明である裏足用金具を用いてタイルを張り付けた躯体の一部を拡大した正面図、平面図及び側面図である。
【図３】本発明であるタイルの裏足用金具を示す正面図、平面図及び側面図である。
【図４】本発明であるタイルの裏足用金具を示す斜視図である。
【発明を実施するための形態】
【００１２】
以下に、本発明の実施形態について図面を参照して詳細に説明する。同一機能を有するものは同一符号を付け、その繰り返しの説明は省略する場合がある。
【実施例１】
【００１３】
図１は、裏足用金具を用いてタイルを張り付けた躯体を示す（ａ）正面図、（ｂ）平面図及び（ｃ）側面図である。図２は、裏足用金具を用いてタイルを張り付けた躯体の一部を拡大した（ａ）正面図、（ｂ）平面図及び（ｃ）側面図である。図３は、タイルの裏足用金具を示す（ａ）正面図、（ｂ）平面図及び（ｃ）側面図である。図４は、タイルの裏足用金具を示す斜視図である。
【００１４】
なお、図１（ａ）及び図２（ａ）の正面図においては、タイルを透過した状態で示す。また、正面図において、正面側を前（表）とし、背面側を後（裏）とする。
【００１５】
図１に示すように、建物の外壁は、躯体１００に胴縁１１０を介してタイルパネルを取り付ける等して仕上げられる。躯体１００は、建築構造を支える骨組みであり、木造、鉄骨造、ＲＣ（鉄筋コンクリート）造などがある。胴縁１１０は、躯体１００に乾式でタイルパネルを固定するための部材であり、例えば、縦に延びるＣ形鋼（Ｃチャンネル）等を所定の間隔を空けて横方向へ間欠的に配置することで通気性も良くなる。
【００１６】
タイルパネルには、下地材１２０に裏足用金具を用いて複数のタイル１３０が張り付けられる。下地材１２０は、フレキシブルボード（セメントと補強繊維を原料とする不燃ボード）などが用いられ、下地用ビス１５０などで胴縁１１０に留められる。また、裏足用金具がビス１４０で下地材１２０を貫通させて胴縁１１０まで留められる。
【００１７】
タイル１３０は、建物の外壁を装飾する仕上材であり、板状の陶磁器などが用いられ、裏面に接着性を上げるための裏足（アリ足）を有する。なお、裏足は、蟻の足のように逆ハ状に凹凸が形成される。例えば、横長のタイル１３０に１つの裏足が形成されている場合、裏足用金具もタイル１３０の縦幅の間隔で係止可能であれば良い。なお、上側のタイル１３０の下部に、下側のタイル１３０の上端が潜り込むように重ねていっても良い。また、横に隣接する別のタイル１３０との間に目地などの隙間を設ける場合には、モルタル等の目地材１６０を充填しても良い。
【００１８】
裏足用金具は、下地材１２０の上端から下端へ渡すように複数本が横方向へ向かって間欠的に配設された縦長の自重受け金具２００、及び下地材１２０の左端から右端へ渡すように複数本が縦方向に向かって間欠的に自重受け金具２００に係止された横長のベース金具３００を有する。
【００１９】
図２に示すように、自重受け金具２００は、複数のベース金具３００を係止する位置（間隔）ごとに、上フック２１０及び下フック２２０が縦方向へ向かって間欠的に形成される。例えば、上フック２１０は、下向きの爪を設け、下フック２２０は、上向きの爪を設けて、ベース金具３００を上下から挟み込むように支持すれば良い。
【００２０】
自重受け金具２００が下地材１２０に固定され、ベース金具３００が自重受け金具２００で支持される。自重受け金具２００をビス１４０で下地材１２０に留めるために、横長のルーズホール２３０を縦方向に向かって間欠的に複数空ければ良い。
【００２１】
ベース金具３００がタイル１３０の裏足に嵌合される。なお、タイル１３０が反っている場合もあり、部分ごとにベース金具３００の掛かり具合が異なるので、接着性を上げるために、隙間に弾性接着剤などの充填材１７０を充填しても良い。
【００２２】
図３及び図４に示すように、ベース金具３００は、自重受け金具２００と当接する上後板３１０及び下後板３５０から裏足に入るように前方に上面板３２０及び下面板３４０を突出させた前面の中前板３３０から上係止片３６０及び下係止片３７０が切り出される。上後板３１０及び下後板３５０が、自重受け金具２００の上フック２１０及び下フック２２０で挟持される。
【００２３】
上係止片３６０は、上面板３２０まで切り込んだ上バネ部３６０ａが撓ることで、中前板３３０から上方に折り返した上折返し部３６０ｂが裏足に引っ掛かり、下係止片３７０は、中前板３３０から上折返し部３６０ｂより短く下方に折り返した下折返し部３７０ａが裏足に引っ掛かる。
【００２４】
ベース金具３００は、タイル１３０の裏足の上奥に引っ掛けるための上係止片３６０と、タイル１３０の裏足の下奥に引っ掛けるための下係止片３７０とが、横方向に向かって間欠的に複数形成される。上係止片３６０は、それぞれ独立して撓ることで、タイル１３０の反りに合わせて裏足へ均等に当接される。
【００２５】
上係止片３６０では、中前板３３０から上面板３２０にかけて切込み３２０ａを入れて、中前板３３０と上面板３２０の折り目付近を逆に折り返して上折返し部３６０ｂを設けることで、中前板３３０に上部孔３３０ａが形成され、上面板３２０に上バネ部３６０ａが形成される。また、下係止片３７０では、中前板３３０の下部を切り込んで、中前板３３０と下面板３４０の折り目付近を逆に折り返して下折返し部３７０ｂを設けることで、中前板３３０に下部孔３３０ｂが形成される。
【００２６】
切込み３２０ａが上後板３１０と上面板３２０の折り目まで達しないことで、上バネ部３６０ａの弾性力が強くなり、裏足の各部に押し当てられる。なお、裏足の開口部に入る大きさで中前板３３０が形成され、裏足の下奥に達する長さで下折返し部３７０ｂが形成され、上バネ部３６０ａが付勢された状態で裏足の上奥に達するように上折返し部３６０ｂが形成されれば良い。
【００２７】
本発明によれば、建物の外壁にタイルを乾式で張り付ける際に、タイルの反りに追従して係止することができる。
【００２８】
以上、本発明の実施例を述べたが、これらに限定されるものではない。
【符号の説明】
【００２９】
１００：躯体
１１０：胴縁
１２０：下地材
１３０：タイル
１４０：ビス
１５０：下地用ビス
１６０：目地材
１７０：充填材
２００：自重受け金具
２１０：上フック
２２０：下フック
２３０：ルーズホール
３００：ベース金具
３１０：上後板
３２０：上面板
３２０ａ：切込み
３３０：中前板
３３０ａ：上部孔
３３０ｂ：下部孔
３４０：下面板
３５０：下後板
３６０：上係止片
３６０ａ：上バネ部
３６０ｂ：上折返し部
３７０：下係止片
３７０ａ：下折返し部
【要約】      （修正有）【課題】建物の外壁にタイルを乾式で張り付ける際に、タイルの反りに追従して係止することが可能な裏足用金具を提供する。【解決手段】タイル１３０の裏足用金具は、下地材１２０の上端から下端へ渡すように複数本が横方向へ向かって間欠的に配設された縦長の自重受け金具２００と、下地材１２０の左端から右端へ渡すように複数本が縦方向に向かって間欠的に自重受け金具２００に係止された横長のベース金具３００と、を備え、ベース金具３００は、タイル１３０の裏足の上奥に引っ掛けるための上係止片と、タイル１３０の裏足の下奥に引っ掛けるための下係止片とが、横方向に向かって間欠的に複数形成され、上係止片は、それぞれ独立して撓ることで、タイル１３０の反りに合わせて裏足へ均等に当接する。【選択図】図１【図１】
0006764208.tif 000002
【図２】
0006764208.tif 000003
【図３】
0006764208.tif 000004
【図４】
0006764208.tif 000005